(57)【要約】【課題】単一の検知電極と操作者との間の静電容量に対して一つの閾値のみを設定可能な既存の回路を用いながら、単一の操作部と操作者との距離に応じて二段階の出力が得られる静電容量操作装置を提供すること。【解決手段】静電容量式操作装置であって、操作パネルと、検知電極と、検出手段と、制御手段とを備え、検知電極は第一電極（１２）及び第二電極（１４）を有し、これら第一電極及び第二電極はともに操作部と重なる位置に設けられており、検出手段は、第一電極（１２）と操作者との間の静電容量に応じた値の第一信号を出力する第一検出部と、第二電極（１４）と操作者との間の静電容量に応じた値の第二信号を出力する第二検出部とを有し、制御手段は、第一信号の値が第一閾値を超えたときに機器に対して第一制御信号を送信する第一制御部と、第二信号の値が第二閾値を超えたときに機器に対して第二制御信号を送信する第二制御部とを有すること。【選択図】図１
2014120363.tif 000002
【特許請求の範囲】
【請求項１】
静電容量式操作装置であって、
操作者により操作される操作部を含む操作パネルと、
前記操作パネルの厚さ方向について前記操作部と重なる位置に設けられており、前記操作者との間の距離または前記操作パネルの厚さ方向について前記操作者と重なり合う面積に応じて当該操作者との間の静電容量を変化させる検知電極と、
前記検知電極と前記操作者との間の静電容量の変化を検出する検出手段と、
前記検出手段から得られる信号に応じて所定の機器の制御を行う制御手段とを備え、
前記検知電極は、互いに近接するように形成された第一電極及び第二電極を有し、これら第一電極及び第二電極はともに前記操作部と前記操作パネルの厚さ方向に重なる位置に設けられており、
前記検出手段は、前記第一電極と前記操作者との間の静電容量に応じた値の第一信号を出力する第一検出部と、前記第二電極と前記操作者との間の静電容量に応じた値の第二信号を出力する第二検出部とを有し、
前記制御手段は、前記第一検出部から受信した前記第一信号の値が予め設定された第一閾値を超えたときに前記機器に対して当該機器に特定の第一機能を発揮させる第一制御信号を送信する第一制御部と、前記第二検出部から受信した前記第二信号の値が前記第一閾値よりも大きな値の第二閾値を超えたときに前記機器に対して当該機器に前記第一機能とは異なる第二機能を発揮させる第二制御信号を送信する第二制御部とを有する静電容量式操作装置。
【請求項２】
請求項１記載の静電容量式操作装置であって、
前記第一電極及び前記第二電極は、前記操作パネルの厚さ方向に重なるように配置されている静電容量式操作装置。
【請求項３】
請求項２記載の静電容量式操作装置であって、
前記第一電極及び前記第二電極は、互いに同じ形状を有し、これら第一電極及び第二電極はともに前記操作部と前記操作パネルの厚さ方向に略完全に重なるように配置されている静電容量式操作装置。
【請求項４】
請求項１記載の静電容量式操作装置であって、
前記第一電極及び前記第二電極は、同一平面上に形成されている静電容量式操作装置。
【請求項５】
請求項４に記載の静電容量式操作装置において、
前記第一電極及び前記第二電極は、前記平面上において特定方向及びこの特定方向に直交する方向に交互に並ぶ形状を有する静電容量式操作装置。
【請求項６】
請求項１ないし５のいずれかに記載の静電容量式操作装置において、
前記第一制御部は、前記第一信号の値が前記第一閾値を超えている時間が所定の設定時間となったときに前記第一制御信号を送信する静電容量式操作装置。
【請求項７】
請求項１ないし６のいずれかに記載の静電容量式操作装置において、
前記第一機能は、前記操作者が知覚可能な情報を報知する機能であり、
前記第二機能は、前記機器の動作状態を変更する機能である静電容量式操作装置。
【発明の詳細な説明】
【技術分野】
【０００１】
本発明は、車両等に備えられた電子機器の操作に使用するための静電容量式操作装置に関するものである。
【背景技術】
【０００２】
従来、様々な電子機器に搭載される操作装置として、静電容量の変化を検出する静電容量式の操作装置が知られている。この静電容量式操作装置は、操作者により操作される操作パネルを備えており、前記操作者がその操作パネルに触れるいわゆるタッチ操作をすることで所定の信号を出力する。
【０００３】
このような静電容量式操作装置は、車両に搭載された電子機器の操作装置として用いられることもあるが、一般に、車両の運転中は、操作者は操作パネルを注視することが困難であり、運転中の操作者が前記操作パネルを注視しない手探り状態で前記操作パネルを操作して意図しない操作部に触れると、これが検出されて誤操作となる。そのため、操作者が前記操作パネルを注視することなく操作するいわゆるブラインド操作をしたいというニーズがある。
【０００４】
そこで、特定の操作部に操作者の指等が近付いた際、当該操作部の指との間の距離または前記操作者と重なり合う面積に応じて異なる二つの出力が得られるようにすることが考えられる。例えば、第一の出力として、手探り状態において特定の操作部に操作者が近付いたときに所定の音を発する信号を割り当て、第二の出力として、操作者がその特定の操作部を実際にタッチ操作したことを検出する信号を割り当てるようにすれば、操作者によるブラインド操作が可能となる。
【０００５】
特許文献１には、車載用の静電容量式操作装置ではないものの、上記のように、特定の操作部に操作者の指等が近付いた際、当該操作部と指との間の距離に応じて異なる二つの出力が得られる静電容量式操作装置が開示されている。具体的に、特許文献１には、操作者により操作される操作部を含む意匠板と、前記意匠板を照光する第一光源と、この第一光源とは異なる色の第二光源と、前記操作者との間の距離に応じて当該操作者との間の静電容量を変化させる検知電極と、前記検知電極と前記操作者との間の静電容量の変化を検出する静電容量検知回路と、前記静電容量検知回路から得られる信号に応じて前記第一光源及び前記第二光源の制御を行う制御手段とを備えた静電容量操作装置が開示されている。前記静電容量検知回路は、前記操作者と前記検知電極との間の静電容量に応じた値の信号を前記制御手段を構成する判定回路に送信する。そして、この判定回路は、前記静電容量検知回路から受信する信号の値が予め設定された第一閾値を超えたときに前記第一光源を駆動するための第一信号を送信するとともに、前記静電容量検知回路から受信する信号が前記第一閾値よりも大きな第二閾値を超えたときに前記第二光源を駆動するための第二信号を送信する。つまり、前記判定回路は、単一の前記検知電極と前記操作者との間の静電容量に対して二つの閾値が設定可能となっており、これにより、当該静電容量式操作装置では、前記操作部と前記操作者との距離に応じて二段階の出力が得られるようになっている。すなわち、この静電容量式操作装置では、前記操作者の指等が前記操作部に近付くことにより前記静電容量検知回路の送信する信号の値が前記第一閾値を超えると、前記判定回路が送信する第一信号によって前記第一光源が駆動され、前記指が前記操作部に触れることにより前記静電容量検知回路の送信する信号の値が前記第二閾値を超えると、前記判定回路が送信する第二信号によって前記第二光源が駆動される。
【先行技術文献】
【特許文献】
【０００６】
【特許文献１】特開２００６−１２８０２０号公報
【発明の概要】
【発明が解決しようとする課題】
【０００７】
上記特許文献１に記載の静電容量式操作装置では、前記判定回路として、単一の検知電極と前記操作者との間の静電容量に対して二つの閾値を設定可能な専用の回路を構築する必要があるが、このような回路は、単一の検知電極と前記操作者との間の静電容量に対して一つの閾値のみを設定可能な既存の回路に比べ、構成が非常に複雑であり、コストが高くなる。このような課題は、単一の操作部と操作者との間の静電容量に応じて異なる二つの出力が得られる構成が望まれる場合に広く生じ得る。例えば、上記のような車載用の電子機器の操作装置においてブラインド操作を可能とする場合や、上記特許文献１のように単一の操作部を互いに異なる色の光で照光する場合の他、互いに異なる機能を発揮させるための二つの操作部を一つにまとめることにより、操作パネルにおける操作部の数を減らして当該操作パネルの小型化を図る場合が挙げられる。
【０００８】
本発明の目的は、単一の検知電極と操作者との間の静電容量に対して一つの閾値のみを設定可能な既存の回路を用いながら、単一の操作部と操作者との間の静電容量に応じて二段階の出力が得られる静電容量操作装置を提供することにある。
【課題を解決するための手段】
【０００９】
前記課題を解決するために、本発明は、静電容量式操作装置であって、操作者により操作される操作部を含む操作パネルと、前記操作パネルの厚さ方向について前記操作部と重なる位置に設けられており、前記操作者との間の距離または前記操作パネルの厚さ方向について前記操作者と重なり合う面積に応じて当該操作者との間の静電容量を変化させる検知電極と、前記検知電極と前記操作者との間の静電容量の変化を検出する検出手段と、前記検出手段から得られる信号に応じて所定の機器の制御を行う制御手段とを備え、前記検知電極は、互いに近接するように形成された第一電極及び第二電極を有し、これら第一電極及び第二電極はともに前記操作部と前記操作パネルの厚さ方向に重なる位置に設けられており、前記検出手段は、前記第一電極と前記操作者との間の静電容量に応じた値の第一信号を出力する第一検出部と、前記第二電極と前記操作者との間の静電容量に応じた値の第二信号を出力する第二検出部とを有し、前記制御手段は、前記第一検出部から受信した前記第一信号の値が予め設定された第一閾値を超えたときに前記機器に対して当該機器に特定の第一機能を発揮させる第一制御信号を送信する第一制御部と、前記第二検出部から受信した前記第二信号の値が前記第一閾値よりも大きな値の第二閾値を超えたときに前記機器に対して当該機器に前記第一機能とは異なる第二機能を発揮させる第二制御信号を送信する第二制御部とを有する静電容量式操作装置を提供する。
【００１０】
この発明によれば、前記第一制御部につながった第一電極と前記第二制御部につながった第二電極とが共通の操作部と前記操作パネルの厚さ方向に重なる位置に設けられているので、前記第一制御部に前記第一閾値が設定され、かつ、前記第二制御部に前記第二閾値が設定されることにより、専用回路、すなわち、単一の検知電極と操作者との間の静電容量に対して二つの閾値を設定可能な回路ではなく、単一の電極につき一つの閾値のみを設定可能な既存の回路を用いながら前記操作部と前記操作者との間の静電容量に応じて二段階の出力が得られる構造が構築される。
【００１１】
この場合において、前記第一電極及び前記第二電極は、前記操作パネルの厚さ方向に重なるように配置されていることが好ましい。
【００１２】
このようにすれば、前記第一電極と前記第二電極とを互いに干渉させることなく、前記操作部に対して各電極が重なる部分の面積を大きくとることができるので、前記操作部のうち前記操作者が操作する部位のばらつきに起因する各検出部から出力されるそれぞれの信号の値のばらつきが低減される。
【００１３】
さらにこの場合において、前記第一電極及び前記第二電極は、ともに前記操作部の全域と前記操作パネルの厚さ方向に略完全に重なるように配置されていることが好ましい。
【００１４】
このようにすれば、前記操作部のうち前記操作者が操作する部位のばらつきに起因する各検出部から出力されるそれぞれの信号の値のばらつきが解消される。
【００１５】
また、本発明において、前記第一電極及び前記第二電極は、同一平面上に形成されてもよい。
【００１６】
このようにすれば、前記検知電極の前記平面と直交する方向の寸法が短縮され、また、両電極の形成が容易となる。
【００１７】
この場合において、前記第一電極及び前記第二電極は、前記平面上において特定方向及びこの特定方向に直交する方向に交互に並ぶ形状を有することが好ましい。
【００１８】
このようにすれば、前記操作部のうち前記操作者が操作する部位のばらつきに起因する各検出部から出力されるそれぞれの信号の値のばらつきが低減される。
【００１９】
また、本発明において、前記第一制御部は、前記第一信号の値が前記第一閾値を超えている時間が所定の設定時間となったときに前記第一制御信号を送信することが好ましい。
【００２０】
このようにすれば、前記第一制御信号の意図しない出力が抑制される。具体的には、前記第一信号の値が前記第一閾値を超える程度に前記操作者が前記操作部に近付くことにより、前記第一信号の値が前記設定時間よりも短い時間だけ前記第一閾値を超えたとしても、前記第一制御部は前記第一制御信号を送信しないので、例えば、前記操作者が前記操作部を操作するつもりではなく、前記設定時間よりも短い時間だけ前記第一信号の値が前記第一閾値を超える程度に前記操作部に近付いた場合にまで前記第一制御信号が出力されるといったことが回避される。
【００２１】
また、本発明において、前記第一機能は、前記操作者が知覚可能な情報を報知する機能であり、前記第二機能は、前記機器の動作状態を変更する機能であることが好ましい。
【００２２】
このようにすれば、前記操作者による前記操作部のブラインド操作が可能となる。具体的には、前記操作者は、前記第一信号の値が前記第一閾値を超える程度に前記操作部に近付いた場合に知覚可能な情報を受け取ることによってその操作部の位置を認識することができるので、前記操作パネルを注視することなくそのまま当該操作部を操作することができる。
【発明の効果】
【００２３】
以上のように、本発明によれば、単一の検知電極と操作者との間の静電容量に対して一つの閾値のみを設定可能な既存の回路を用いながら、単一の操作部と操作者との間の静電容量に応じて二段階の出力が得られる静電容量操作装置を提供することができる。
【図面の簡単な説明】
【００２４】
【図１】本発明の第一実施形態の静電容量式操作装置の検知部材の一部を破断した状態の平面図である。
【図２】図１に示すＩＩ−ＩＩ線での断面図である。
【図３】（ａ）第一信号と第一閾値との関係を示す図である。（ｂ）第二信号と第二閾値との関係を示す図である。
【図４】制御手段の制御内容の概略を示すフローチャートである。
【図５】本発明の第二実施形態の静電容量式操作装置の検知部材の一部を破断した状態の平面図である。
【図６】（ａ）図５に示す検知部材の検知電極の変形例を示す図である。（ｂ）図５に示す検知部材の検知電極の変形例を示す図である。（ｃ）図５に示す検知部材の検知電極の変形例を示す図である。
【００２５】
（第一実施形態）
本発明の第一実施形態の複合操作装置について、図１〜図４を参照しながら説明する。
【００２６】
本実施形態の静電容量式操作装置は、操作者により操作される操作パネル（図示せず）と、この操作パネルの裏面に設けられた検知部材１０と、静電容量の変化を検出する検出手段（図示せず）と、この検出手段から受信する信号に応じて所定の機器の制御を行う制御手段（図示せず）とを備える。本実施形態の静電容量式操作装置は、車載用の空調装置に接続される。つまり、本実施形態では、前記機器は前記空調装置に相当する。
【００２７】
操作パネルは、表面と裏面とを有する略矩形のパネルであり、この操作パネルは、表面に形成されており操作者の指等によりタッチ操作される操作部を有する。例えば、操作パネルは、透明な材料から形成されてもよく、また、均一な厚さに形成されてもよい。この操作部は、後述の検知電極に対応する位置、つまり、本実施形態では３箇所に形成されている。操作部がタッチ操作されることにより、この静電容量式操作装置に接続された機器である空調装置のモードや、設定温度、風量等が変更される。
【００２８】
検知部材１０は、操作者との間の距離に応じて当該操作者との間の静電容量を変化させる検知電極を含む。具体的には、検知部材１０は、図１及び図２に示すように、ベースフィルム１１と、このベースフィルム１１上に印刷等により形成された第一電極１２と、第一電極１２を覆う中間フィルム１３と、中間フィルム１３上に印刷等により形成された第二電極１４と、第二電極１４を覆うカバーフィルム１５とを有する。なお、この検知部材１０は、操作パネルの裏面に適宜手段により接着されている。
【００２９】
第一電極１２及び第二電極１４は、それぞれ操作者との間の距離または操作パネルの厚さ方向について操作者と重なり合う面積（操作者が操作部を押圧する力）に応じて当該操作者との間の静電容量を変化させる。つまり、第一電極１２と第二電極１４とが「検知電極」を構成する。第一電極１２及び第二電極１４はともに同じ形状、本実施形態では円形である。第一電極１２及び第二電極１４は、いずれも操作部と同じかそれよりも大きな形状を有する。そして、第一電極１２と第二電極１４とは、互いに近接するように形成されている。具体的には、第一電極１２及び第二電極１４は、両者の積層方向に互いに略完全に重なるように配置されている。また、第一電極１２及び第二電極１４は、ともに操作部の全域と操作パネルの厚さ方向に略完全に重なるように配置されている。なお、本実施形態では、図１に示されるように、第一電極１２及び第二電極１４は、それぞれ３箇所に形成されているが、各電極の個数はこれに限られない。
【００３０】
ベースフィルム１１、中間フィルム１３及びカバーフィルム１５は、それぞれＰＥＴ等の透明樹脂により形成されている。
【００３１】
第一電極１２からは、第一パターン１２ａ、第二パターン１２ｂ及び第三パターン１２ｃが延びている。第一パターン１２ａは、第一電極１２につながっておりベースフィルム１１上に印刷等により形成されている。第二パターン１２ｂは、第一パターン１２ａにつながっており、中間フィルム１３をその厚さ方向に貫通するように形成された穴１３ａ内に形成されている。第三パターン１２ｃは、第二パターン１２ｂにつながっており中間フィルム１３上に印刷等により形成されている。第二電極１４からは、第一パターン１４ａが延びている。第一パターン１４ａは、第二電極１４につながっており中間フィルム１３上に印刷等により形成されている。
【００３２】
この検知部材１０には、補強部材１６が設けられている。補強部材１６は、第三パターン１２ｃ及び第一パターン１４ａのうちの検知電極側とは反対側の端部を補強するものである。
【００３３】
検出手段（図示せず）は、検知電極と操作者との間の静電容量の変化を検出する。具体的には、検出手段は、第一電極１２と操作者との間の静電容量に応じた値の第一信号を出力する第一検出部と、第二電極１４と操作者との間の静電容量に応じた値の第二信号を出力する第二検出部とを有する。第一検出部は、第三パターン１２ｃに接続されており、前記第一信号を制御手段に送信する。第二検出部は、第一パターン１４ａに接続されており、前記第二信号を制御手段に送信する。第一信号の値は、第一電極１２と操作者との距離が近づくにしたがって、あるいは、操作パネルの厚さ方向について第一電極１２と操作者との重なり合う面積が大きくなるにしたがって次第に大きくなり、第二信号の値は、第二電極１４と操作者との距離が近づくにしたがって、あるいは、操作パネルの厚さ方向について第二電極１４と操作者との重なり合う面積が大きくなるにしたがって次第に大きくなる。
【００３４】
制御手段（図示せず）は、第一検出部から送られてくる第一信号を受信する第一制御部と、第二検出部から送られてくる第二信号を受信する第二制御部とを有する。第一制御部は、第一信号の値が予め設定された第一閾値を超えたときに前記機器に対して第一制御信号を送信する。第二制御部は、第二信号の値が予め設定された第二閾値を超えたときに前記機器に対して第二制御信号を送信する。これら二つの閾値が異なる値に設定されることにより、単一の操作部と操作者との間の静電容量に応じて二段階の出力が得られる。本実施形態では、第二閾値は第一閾値よりも大きな値に設定されている。より具体的には、図３（ａ）及び図３（ｂ）に示されるように、第一閾値は、例えば操作者が操作部に触れる前、すなわち、操作者が手探りで操作部を探す状態のときに第一検出部が送信する第一信号の値よりも僅かに小さな値に設定されており、第二閾値は、操作者が操作部に触れたとき、すなわち、操作者が操作部にタッチ操作したときに第二検出部が送信する第二信号の値よりも僅かに小さな値に設定されている。また、第一制御部は、第一信号の値が第一閾値を超えている時間が所定の設定時間となったときに第一制御信号を送信してもよい。
【００３５】
前記第一制御信号は、機器に特定の第一機能を発揮させる信号であり、前記第二制御信号は、機器に前記第一機能とは異なる第二機能を発揮させる信号である。本実施形態では、前記第一機能は、操作者が知覚可能な情報（音等）を報知する機能であり、前記第二機能は、前記機器の動作状態（モードや風量等）を変更する機能である。また、第二機能は、前記機能に加え、第一機能の音とは異なる音を報知する機能や、操作部に振動を付与するための図示しない振動部（偏心モータ等）を駆動する機能を含んでもよい。
【００３６】
次に、図４を参照しながら、この静電容量式操作装置の操作部を操作するときの制御手段の制御内容について、各電極１２，１４と操作者との距離に応じて静電容量が変化する場合を例に説明する。
【００３７】
まず、操作者の指等が操作部に近づいたときに第一検出部が出力する第一信号の値が第一閾値以上かどうかを判断する（ステップＳＴ１１）。この結果、その第一信号の値が第一閾値以上でなければ、第一制御部は機器に対して第一制御信号を送信しない（ステップＳＴ１２）。換言すれば、機器は前記第一機能及び前記第二機能を発揮しない。一方、その第一信号の値が第一閾値以上であれば、第二検出部が出力する第二信号の値が第二閾値以上かどうかを判断する（ステップＳＴ１３）。
【００３８】
この結果、その第二信号の値が第二閾値以上でなければ、第一制御部は機器に対して第一制御信号を送信する（ステップＳＴ１４）。これにより、機器は前記第二機能を発揮する。換言すれば、機器から操作者が知覚可能な情報（音等）が報知される。一方、その第二信号の値が第二閾値以上であれば、第二制御部は機器に対して第二制御信号を送信する（ステップＳＴ１５）。これにより、機器は前記第二機能を発揮する。換言すれば、機器の動作状態が変更される。
【００３９】
以上説明したように、本実施形態の静電容量式操作装置によれば、第一制御部につながった第一電極１２と第二制御部につながった第二電極１４とが共通の操作部と操作パネルの厚さ方向に重なる位置に設けられているので、第一制御部に第一閾値が設定され、かつ、第二制御部に第一閾値よりも大きな値の第二閾値が設定されることにより、専用回路、すなわち、単一の検知電極と操作者との間の静電容量に対して二つの閾値を設定可能な回路ではなく、単一の電極につき一つの閾値のみを設定可能な既存の回路を用いながら操作部と操作者との間の静電容量に応じて二段階の出力が得られる構造が構築される。
【００４０】
そして、第一電極１２及び第二電極１４は、操作パネルの厚さ方向に重なるように配置されているので、第一電極１２と第二電極１４とを互いに干渉させることなく、操作部に対して各電極が重なる部分の面積を大きくとることができる。本実施形態では、第一電極１２及び第二電極１４は、ともに操作部の全域と操作パネルの厚さ方向に略完全に重なるように配置されている。よって、操作部のうち操作者が操作する部位のばらつきに起因する各検出部から出力されるそれぞれの信号の値のばらつきが解消される。
【００４１】
また、第一制御部が、第一信号の値が第一閾値を超えている時間が所定の設定時間となったときに前記第一制御信号を送信するようにすれば、第一制御信号の意図しない出力が抑制される。具体的には、第一信号の値が第一閾値を超える程度に操作者が操作部に近付くことにより、第一信号の値が設定時間よりも短い時間だけ第一閾値を超えたとしても、第一制御部は第一制御信号を送信しないので、例えば、操作者が操作部を操作するつもりではなく、前記設定時間よりも短い時間だけ第一信号の値が第一閾値を超える程度に操作部に近付いた場合にまで第一制御信号が出力されるといったことが回避される。
【００４２】
また、本実施形態では、前記第一機能は、操作者が知覚可能な情報（音等）を報知する機能であり、前記第二機能は、機器の動作状態を変更する機能であるので、操作者による操作部のブラインド操作が可能となる。具体的には、操作者は、第一信号の値が第一閾値を超える程度に操作部に近付いたとき（手探り状態のとき）に知覚可能な音等を受け取ることによってその操作部の位置を認識することができるので、この操作者は操作パネルを注視することなくそのまま当該操作部を操作することができる。
【００４３】
（第二実施形態）
本発明の第二実施形態について、図５及び図６を参照しながら説明する。なお、この第二実施形態では、第一実施形態と異なる部分についてのみ説明を行い、第一実施形態と同じ構造、作用及び効果の説明は省略する。
【００４４】
本実施形態の検知部材１０は、ベースフィルム１１と、第一電極１２及び第二電極１４と、カバーフィルム１５とを有する。
【００４５】
第一電極１２及び第二電極１４は、ともにベースフィルム１１上に形成されており、互いに近接している。第一電極１２及び第二電極１４は、特定方向（図５の左右方向）及びこの特定方向とは直交する方向（図５の上下方向）に交互に並ぶ形状を有する。本実施形態では、各電極１２，１４は、つづら折り形を呈する。
【００４６】
なお、第一電極１２及び第二電極１４の形状は、前記特定方向及びこの特定方向とは直交する方向に交互に並ぶ形状であれば、図６（ａ）及び図６（ｂ）に示すような渦巻形や、図６（ｃ）に示すようなくし歯形であってもよい。
【００４７】
以上説明したように、本実施形態の第一電極１２及び第二電極１４は、同一平面上、すなわち、ベースフィルム１１上に形成されているので、これら検知部材１０の前記操作パネルの厚さ方向の寸法が短縮され、また、両電極１２，１４の形成が容易となる。
【００４８】
そして、第一電極１２及び第二電極１４は、前記平面上において特定方向及びこの特定方向に直交する方向に交互に並ぶ形状を有するので、操作部のうち操作者が操作する部位のばらつきに起因する各検出部から出力されるそれぞれの信号の値のばらつきが低減される。
【００４９】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００５０】
例えば、上記各実施形態では、第一機能が操作者が知覚可能な情報（音等）を報知する機能であり、第二機能が記機器の動作状態（モードや風量等）を変更する機能である例を示したが、第一機能が第一光源（図示略）を駆動する機能であり、第二機能が第一光源とは異なる色の第二光源（図示略）を駆動する機能であってもよい。
【符号の説明】
【００５１】
１０    検知部材
１１    ベースフィルム
１２    第一電極（検知電極）
１２ａ  第一パターン
１２ｂ  第二パターン
１２ｃ  第三パターン
１３    中間フィルム
１４    第二電極（検知電極）
１４ａ  第一パターン
１５    カバーフィルム
１６    補強部材
【図１】
2014120363.tif 000003
【図２】
2014120363.tif 000004
【図３】
2014120363.tif 000005
【図４】
2014120363.tif 000006
【図５】
2014120363.tif 000007
【図６】
2014120363.tif 000008